(57)【特許請求の範囲】
【請求項１】
椅子に座った状態で膝部を包み込むことができるようにした布地を用いた膝掛けにおいて、椅子の座面の両側から立ち上がり、上縁が水平になって自立するようにした袖部と、前記布地を、袖部と一体化して、使用時に膝部を包み込むようにするとともに、不使用時に袖部の上縁から延設され、床面に接触することなく垂れ下がるようにした全体形状が矩形の膝掛け部とを備えてなることを特徴とする膝掛け。
【請求項２】
椅子の座面に敷設される座部を構成するクッション部を備え、該クッション部の両側縁から前記袖部が立ち上がるようにしたことを特徴とする請求項１記載の膝掛け。
【請求項３】
クッション部の後縁から立ち上がるようにした背当て部を備え、該背当て部と前記袖部とを接合することにより、前記袖部が自立するようにしてなることを特徴とする請求項２記載の膝掛け。
【発明の詳細な説明】
【技術分野】
【０００１】
本発明は、椅子に座った状態で膝部を包み込むことができる膝掛けに関するものである。
【背景技術】
【０００２】
従来、冬季の寒い時期に椅子に座って事務等の作業をする場合、保温のために、膝部を包み込むことができる膝掛けが使用されているが、膝掛けを単独で用いる場合、膝掛けがずり落ちやすいという問題があった。【０００３】
この問題に対処するため、膝掛けをクッションと一体化するようにした膝掛けが付いたクッションが提案されている（例えば、特許文献１〜２参照。）。
【先行技術文献】
【特許文献】
【０００４】
【特許文献１】実開平６−７７６４２号公報
【特許文献２】実用新案登録第３１２４３５８号公報
【発明の概要】
【発明が解決しようとする課題】
【０００５】
ところで、上記従来の膝掛け付きクッションは、図５に示すように、座部を構成するクッション部１の周縁から膝掛け部４を延設するようにされているため、図５（ｂ）に示すように、膝掛け部４を構成する布地を、膝部Ｂを十分に包み込むことができる大きさにすると、図５（ａ）に示すように、不使用時に膝掛け部４の垂れ下がった部分が床面に接触し、膝掛け部４が汚れたり、また、これを防止するためには、椅子Ｃから離れる際に膝掛け部４を折り畳む必要があり、取り扱いに手数を要するという問題があった。
一方、図６に示すように、膝掛け部４の垂れ下がった部分が床面に接触することを防止するために、図６（ａ）に示すように、膝掛け部４を構成する布地の大きさを小さくすると、図６（ｂ）に示すように、膝部Ｂを十分に包み込むことができず、保温性に欠けるという問題があった。【０００６】
本発明は、上記従来の膝掛け付きクッションの有する問題点に鑑み、椅子に座った状態で膝部を包み込むことができるようにした膝掛けにおいて、膝掛け部を構成する布地を、膝部を十分に包み込むことができる大きさにしても、不使用時に膝掛け部の垂れ下がった部分が床面に接触することのない膝掛けを提供することを目的とする。
【課題を解決するための手段】
【０００７】
上記目的を達成するため、本発明の膝掛けは、椅子に座った状態で膝部を包み込むことができるようにした布地を用いた膝掛けにおいて、椅子の座面の両側から立ち上がり、上縁が水平になって自立するようにした袖部と、前記布地を、袖部と一体化して、使用時に膝部を包み込むようにするとともに、不使用時に袖部の上縁から延設され、床面に接触することなく垂れ下がるようにした全体形状が矩形の膝掛け部とを備えてなることを特徴とする。
【０００８】
この場合において、椅子の座面に敷設される座部を構成するクッション部を備え、該クッション部の両側縁から前記袖部が立ち上がるようにすることができる。【０００９】
さらに、クッション部の後縁から立ち上がるようにした背当て部を備え、該背当て部と前記袖部とを接合することにより、前記袖部が自立するようにすることができる。
【発明の効果】
【００１０】
本発明の膝掛けによれば、椅子に座った状態で膝部を包み込むことができるようにした膝掛けにおいて、椅子の座面の両側から立ち上がるようにした自立した袖部と、該袖部の上縁から延設した布地からなる膝掛け部とを備えるようにしているため、椅子に座った状態で、袖部と膝掛け部とによって膝部を包み込んで十分に保温することができるとともに、膝掛け部を構成する布地を、膝部を十分に包み込むことができる大きさにしても、不使用時に袖部の上縁から延設された布地からなる膝掛け部の垂れ下がった部分が床面に接触することがなく、膝掛け部が汚れることを防止することができ、このため、椅子から離れる際に膝掛け部を丁寧に折り畳む必要がなく、取り扱いも容易となる。【００１１】
また、椅子の座面に敷設される座部を構成するクッション部を備え、該クッション部の両側縁から前記袖部が立ち上がるようにすることにより、膝掛けをクッションと一体化することができる。【００１２】
さらに、クッション部の後縁から立ち上がるようにした背当て部を備え、該背当て部と前記袖部とを接合することにより、前記袖部が自立するようにすることができ、これによって、簡易な構造で袖部を自立させることができるとともに、背当て部によって、背中側の保温性を高めることができる。
【図面の簡単な説明】
【００１３】
【図１】本発明の膝掛けの一実施例を示し、（ａ）は不使用時の状態を示す概略図、（ｂ）は使用時の状態を示す概略図、（ｃ）は展開図、（ｄ）及び（ｅ）は（ｃ）のＸ−Ｘの断面図である。
【図２】本発明の膝掛けの他の実施例を示す展開図である。
【図３】本発明の膝掛けの他の実施例を示す説明図である。
【図４】本発明の膝掛けの他の実施例を示す説明図である。
【図５】従来の膝掛け付きクッションを示し、（ａ）は不使用時の状態を示す概略図、（ｂ）は使用時の状態を示す概略図、（ｃ）は展開図である。
【図６】従来の膝掛け付きクッションを示し、（ａ）は不使用時の状態を示す概略図、（ｂ）は使用時の状態を示す概略図、（ｃ）は展開図である。
【発明を実施するための形態】
【００１４】
以下、本発明の膝掛けの実施の形態を、図面に基づいて説明する。
【００１５】
図１に、本発明の膝掛けの一実施例を示す。
この膝掛けは、座部を構成するクッション部１と、このクッション部１の両側縁から立ち上がるようにした袖部２と、クッション部１の後縁から立ち上げた背当て部３と、袖部２の上縁から延設した布地からなる膝掛け部４とからなり、袖部２と背当て部３とを接合することにより、袖部２が自立するようにしている。
【００１６】
この場合において、クッション部１、袖部２及び背当て部３は、特に限定されるものではないが、例えば、綿状の繊維素材や発泡ポリウレタン樹脂等の発泡樹脂素材を、織布、編布、毛布等の布地からなる外包材で覆ったクッション性を備えたブロック状の構造体を好適に用いることができる。
【００１７】
膝掛け部４は、特に限定されるものではないが、厚手の織布、編布、毛布等の保温性を有する布地を好適に用いることができる。
膝掛け部４を構成する布地は、図１（ｄ）に示すように、矩形の布地を用いて、クッション部１、袖部２及び背当て部３と一体化するようにしたり、図１（ｅ）に示すように、クッション部１、袖部２及び背当て部３の周縁に縫製することにより一体化するようにしたり、図２の変形実施例に示すように、矩形の布地を用いて、クッション部１及び袖部２と一体化するようにしている。
【００１８】
クッション部１、袖部２、背当て部３及び膝掛け部４の大きさは、適用する椅子Ｃの大きさや使用者に合わせて適宜設定することができるが、それぞれ４０×４０ｃｍ、１０×４０ｃｍ、４０×２０ｃｍ、１４０×１００ｃｍを標準的な大きさとして、それぞれ±１０ｃｍ程度（なお、膝掛け部４の大きさは、＋３０〜４０ｃｍ程度まで大きくすることができる。）の大きさに設定することが好ましい。
【００１９】
袖部２と背当て部３との接合は、図１（ｃ）に示すように、特に限定されるものではないが、例えば、袖部２及び背当て部３の端面にそれぞれ面ファスナー、ホック等の接合部材５を設けることにより、接合、分離可能にすることが好ましい。
【００２０】
この場合において、袖部２と背当て部３との接合は、両者が接する端縁同士を縫製することにより一体化するようにしたり、図３（ａ１）及び（ａ２）に示すように、Ｌ字状の成形部材６を袖部２と背当て部３の端部に差し込むことに行うようにすることができる。
【００２１】
また、袖部２が自立するようにする手段としては、上記の手段のほか、図３（ｂ）に示すように、背当て部３を省略し、袖部２及び膝掛け部４を構成する布地にそれぞれ面ファスナー、ホック等の接合部材５を設けることにより、膝掛け部４を構成する布地の力（テンション）で袖部２が自立するようにすることができる。
【００２２】
この膝掛けは、椅子Ｃに座った状態で、袖部２と膝掛け部４とによって膝部Ｂを包み込んで十分に保温することができるとともに、図１（ｂ）に示すように、膝掛け部４を構成する布地を、膝部Ｂを十分に包み込むことができる大きさにしても、不使用時に袖部２の上縁から延設された布地からなる膝掛け部４の垂れ下がった部分が床面に接触することがなく、膝掛け部４が汚れることを防止することができ、このため、椅子Ｃから離れる際に膝掛け部４を丁寧に折り畳む必要がなく、取り扱いも容易となる。
さらに、この膝掛けは、クッション部１の後縁から立ち上がるようにした背当て部３を備え、この背当て部３と袖部２とを接合することにより、袖部２が自立するようにしているので、簡易な構造で袖部２を自立させることができるとともに、背当て部３によって、背中側の保温性を高めることができる。
【００２３】
ところで、上記の膝掛けは、クッション部１を備えるようにしたが、クッション部１を省略して、膝掛けを構成することもできる。
より具体的には、図４に示すように、袖部２及び背当て部３を一体とした２重構造の樹脂成形体Ａ１、Ａ２の間に、布地からなる膝掛け部４を挟み込み、樹脂成形体Ａ１、Ａ２及び膝掛け部４を構成する布地にそれぞれ設けた面ファスナー、ホック等の接合部材５により、樹脂成形体Ａ１、Ａ２及び膝掛け部４を一体化するようにすることができる。
【００２４】
以上、本発明の膝掛けについて、その実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明の膝掛けは、椅子に座った状態で膝部を包み込むことができるようにした膝掛けにおいて、膝掛け部を構成する布地を、膝部を十分に包み込むことができる大きさにしても、不使用時に膝掛け部の垂れ下がった部分が床面に接触することがないことから、冬季の寒い時期に椅子に座って事務等の作業をする場合の保温のための用途に好適に用いることができる。
【符号の説明】
【００２６】
１  クッション部
２  袖部
３  背当て部
４  膝掛け部
５  接合部材
６  成形部材
Ｃ  椅子
【要約】
椅子に座った状態で膝部を包み込むことができるようにした膝掛けにおいて、膝掛け部を構成する布地を、膝部を十分に包み込むことができる大きさにしても、不使用時に膝掛け部の垂れ下がった部分が床面に接触することのない膝掛けを提供するため、座部を構成するクッション部（１）と、このクッション部（１）の両側縁から立ち上がるようにした袖部（２）と、クッション部（１）の後縁から立ち上げた背当て部（３）と、袖部（２）の上縁から延設した布地からなる膝掛け部（４）とからなり、袖部（２）と背当て部（３）とを接合することにより、袖部（２）が自立するようにする。【図１】
0005778347.tif 000002
【図２】
0005778347.tif 000003
【図３】
0005778347.tif 000004
【図４】
0005778347.tif 000005
【図５】
0005778347.tif 000006
【図６】
0005778347.tif 000007